(57)【要約】【課題】孔版原紙や原稿読取り装置を傷つける恐れなく、カードの正確な位置決めを容易に行うことのできるカード位置決め載置台を提供する。【解決手段】カードを受ける平板状のカード載置部と、カード載置部上に置かれたカードの一つの角部の二辺に外側から当接する直交二縁を呈する切欠きを備えた第一の板ばね部と、カード載置部上に置かれたカードの一辺に外側から当接する一縁を呈する第二の板ばね部とを有し、前記直交二縁および一縁は常時はカード載置部の平らな上面より突き出ており、押されると弾性的に撓んで後退するようになっているカード位置決め載置台。【選択図】    図１
2005022307.tif 000002
【特許請求の範囲】
【請求項１】
長方形のカードを受ける平板状のカード載置部と、前記カード載置部上に置かれたカードの一つの角部の二辺に外側から当接する直交二縁を呈する切欠きを備えた第一の板ばね部と、前記カード載置部上に置かれたカードの一辺に外側から当接する一縁を呈する第二の板ばね部とを有し、前記第一および第二の板ばね部は、常時はそれぞれ前記直交二縁および前記一縁を前記カード載置部の平らな上面より突き出す状態にあり、前記直交二縁および前記一縁の部分にて押されると弾性的に撓んで前記直交二縁および前記一縁の部分を突出し位置から後退させるようになっていることを特徴とするカード位置決め載置台。
【請求項２】
前記第二の板ばね部はその前記一縁にてカードの長辺の一部に当接する位置に設けられていることを特徴とする請求項１に記載のカード位置決め載置台。
【請求項３】
前記第一および第二の板ばね部は前記カード載置部と一体の材料よりなっていることを特徴とする請求項１または２に記載のカード位置決め載置台。
【請求項４】
前記第一および第二の板ばね部は前記カード載置部とは異なる材料よりなっていることを特徴とする請求項１または２に記載のカード位置決め載置台。
【発明の詳細な説明】
【０００１】
【発明の属する技術分野】
本発明は、長方形のカードを所定の上下および左右の位置にあるように位置決めして載置するカード位置決め載置台に係る。
【０００２】
【従来の技術】
本件出願人は、嘗て下記の特許文献１にてカード用孔板印刷装置を提案し、これはプリントゴッコの商品名にて年賀はがき等の印刷に多く利用された。このカード用孔板印刷装置は、種々の図柄や模様或いは文字列等を集めて印刷したデザイン集等から各自好みの図柄や模様或いは文字列等を選んで切り抜き、それらを組み合わせ、またそれに自筆文字を書き加えるなどして構成した原画上に孔版原紙を重ね合わせ、その上から赤外線に富む光線を照射し、原画の画像部にて光線の吸収により生じた熱により孔版原紙を画像部に合わせて穿孔し、原画の複写により孔版を製版することができ、またこうして製版された孔版原紙上にインクを層状に施して孔版原版とし、これをカードに押し付けることにより孔版印刷物を得ることができるものである。
【特許文献１】
実公昭５７−１５８１４号公報
【０００３】
また、本件出願人は、特願２００２−２６６７０６において，ポストカード大の原稿載置窓および該原稿載置窓に表示された画像を読み取って画像を表す画像信号を生成するイメージセンサを備えた画像読取り装置と、前記画像読取り装置とは別体の装置として構成され、前記画像信号を処理する信号処理手段および微細インクジェットデジタルカラー印刷手段を備え、前記画像信号に対応する画像を印刷する画像印刷装置と、前記画像読取り装置より前記画像印刷装置へ前記画像信号を伝送する信号伝送手段との組合せよりなることを特徴とするポストカード印刷機を提案した。
【０００４】
【発明が解決しようとする課題】
これらのカード用印刷においては、印刷画像がカード上の所定位置に正しく印刷されるためには、原稿となるカードや印刷用カードがカード載置台上に正しく位置決めされることが重要である。
【０００５】
しかし、カード載置台上にカードの位置決めが容易且つ確実に行えるよう剛固で十分な高さを有する凸縁が設けられると、孔版印刷ではそれによって強度的に弱い孔版が傷つけられる恐れがあり、また微細な半導体素子等よりなる画像読取り装置もそれによって傷つけられる恐れがある。そのため従来カード載置台上でのカードの位置決めは柔らかなスポンジ材の帯状細片をカード載置台上の縁部に随時糊等にて張り付けた程度の手段により行われている。しかし、かかる位置決め手段は軟弱であって高精度にて正確な位置決め行なうには不十分であり、また印刷に当って枚数が増えると位置がずれたり破損したりしてしまう。
【０００６】
本発明は、上記の問題に対処し、孔版原紙やイメージセンサの如き原稿読取り装置を傷つける恐れなく、カードの正確な位置決めを容易に行うことのできるカード位置決め載置台を提供することを課題としている。
【０００７】
【課題を解決するための手段】
上記の課題を解決するものとして、本発明は、長方形のカードを受ける平板状のカード載置部と、前記カード載置部上に置かれたカードの一つの角部の二辺に外側から当接する直交二縁を呈する切欠きを備えた第一の板ばね部と、前記カード載置部上に置かれたカードの一辺に外側から当接する一縁を呈する第二の板ばね部とを有し、前記第一および第二の板ばね部は、常時はそれぞれ前記直交二縁および前記一縁を前記カード載置部の平らな上面より突き出す状態にあり、前記直交二縁および前記一縁の部分にて押されると弾性的に撓んで前記直交二縁および前記一縁の部分を突出し位置から後退させるようになっていることを特徴とするカード位置決め載置台を提供するものである。
【０００８】
前記第二の板ばね部はその前記一縁にてカードの長辺の一部に当接する位置に設けられていてよい。
【０００９】
また、前記第一および第二の板ばね部は前記カード載置部と一体の材料よりなっていてよいが、或はまた、前記第一および第二の板ばね部は前記カード載置部とは異なる材料よりなっていてもよい。
【００１０】
【発明の作用及び効果】
上記の如く、長方形のカードを載置する台が、カードを受ける平板状のカード載置部と、前記カード載置部上に置かれたカードの一つの角部の二辺に外側から当接する直交二縁を呈する切欠きを備えた第一の板ばね部と、前記カード載置部上に置かれたカードの一辺に外側から当接する一縁を呈する第二の板ばね部とを有し、前記第一および第二の板ばね部が、常時はそれぞれ前記直交二縁および前記一縁を前記カード載置部の平らな上面より突き出す状態にあれば、カード載置台上にカードを載置するに当って、カードの一つの角部を前記第一の板ばね部の直交二縁を呈する切欠きに押し付け、カードの一辺を前記第二の板ばね部の一縁に押し付けることにより、カード載置台上に於けるカードの位置は確実に所定の位置に定まる。このようにカードの一つの角部を一つの板ばね部が呈する直交二縁の切欠きに押し当てつつカードの一辺を他の一つの板ばね部が呈する一縁に押し当てることは、長方形カードにとって位置が容易に且つ安定して決まりやすい操作であり、またカードの左右または上下の位置と傾きとを規制するカードの２次元的位置決めを二つの板ばね部によって可能とするものである。
【００１１】
第一および第二の板ばね部は、カードの位置決め方向、即ちカード載置部の上面に沿う方向には高い剛性を有するが、その突出し方向の逆向きに押されれば、容易に撓んでカード載置部の平らな上面より突き出た前記直交二縁および一縁を後退させるので、カードの位置決めが容易且つ確実に行なえるよう、前記直交二縁と一縁がカード載置部の上面から十分な高さにて突き出るようにされていても、カード載置部の面上から消失する方向には容易に偏倚する手段であり、孔版の製版や印刷に際して孔版原版が押し当てられても、或はイメージセンサの如き画像読取り手段がカード載置部上に設置されても、それらに損傷を与えることはない。
【００１２】
上記の構造において、前記第二の板ばね部がその前記一縁にてカードの長方形状の長辺の一部に当接する位置に設けられていれば、第一の板ばね部と第二の板ばね部との間の距離をカードの長辺に合わせてより大きく取れるので、カードの一つの角を第一の板ばね部により直交する二方向の移動に対し規制し、一辺をそれに垂直の方向の移動に対し規制することによるカードの位置決めをより容易に且つより高精度に行うことができる。
【００１３】
かかるカード載置台が適当な弾性を有する材料、例えば弾性プラスチック材等により一体に成形され、前記第一および第二の板ばね部が前記カード載置部と一体の材料よりなるように造られれば、カード載置部と二つの板ばね部を備えたカード載置台をより低コストにて製造することができる。
【００１４】
しかし、また、前記第一および第二の板ばね部が前記カード載置部とは異なる材料よりなる構造とされれば、カード載置部のための材料の選択とは離れて第一および第二の板ばね部のために最適の材料を採択することができ、第一および第二の板ばね部に最適の弾性を持たせつつ装置全体のコストを低減することができる。
【００１５】
【発明の実施の形態】
添付の図１は本発明によるカード位置決め載置台の一つの実施の形態を示す幾分解図的平面図であり、図２は図１に於ける切断線２−２による矢印方向の断面を拡大して示す幾分解図的断面図である。また、図３は図１に示すカード位置決め載置台上にカードが位置決め載置された状態を示す図１と同様の幾分解図的平面図であり、図４は図３に於ける切断線４−４による矢印方向の断面を拡大して示す幾分解図的断面図である。
【００１６】
これらの図に於いて、１０にて全体的に示されたカード位置決め載置台は、カードを受ける平板状のカード載置部１２と、この上に置かれたカード１４の一つの角部１６の二辺１８、２０に外側から当接する直交二縁２２，２４を呈する切欠き２６を備えた第一の板ばね部２８と、カード載置部上に置かれたカードの一辺３０に外側から当接する一縁３２を呈する第二の板ばね部３４とを有している。この実施の形態では、カード位置決め載置台１０は弾性プラスチック材より一体成形により作られており、第一の板ばね部２８は板状のカード位置決め載置台の本体部をなす板状体の一部に窪み３６を形成し、その境界に沿って一部を残して切り溝３８を形成することよりなっており、カード載置部１２と境界部４０にて一体に繋がっているが、これより隔たる部分であって、直交二縁２２，２４を呈する切欠き２６が形成されている部分ではカード載置部１２に対しその表面に垂直方向に弾力的に偏倚し得るようになっている。同様に。第二の板ばね部３４も切り溝４２によりカード位置決め載置台の本体部をなす板状体から境界部４４を残して隔てられ、一縁３２を呈する部分ではカード載置部１２に対しその表面に垂直方向に弾力的に偏倚し得るようになっている。
【００１７】
これらの板ばね部は、常時は直交二縁２２，２４を呈する部分および一縁３２を呈する部分が平板状のカード載置部１２より突き出た状態にあるよう予め湾曲されている。かかる状態にあるとき、直交二縁２２，２４および一縁３２はカード載置部１２上に明確に突き出し且つ押し付けに対し剛固な障壁を呈するので、カード載置部１２上に長方形のカード１４が載置され、その角部１６が板ばね部２８の切欠き２６に押し付けられ、また同時にその一辺３０が板ばね部３４の一縁３２に対し押し付けられると、カードは図３にされている状態に容易に且つ確実に位置決めされる。
【００１８】
こうしてカード載置部１２上に原画をなすカード１４が位置決め載置された後、図５に示す如く孔版原紙４６が光を通す押圧板４８に枠体５０の如き任意の適当な装着手段により装着された状態にてカード１４上に載置され、図には示されていない光源から赤外線に富んだ光線が押圧板４８を経てカード１４上に照射され、カード１４上に形成されている画像の黒色部にならって孔版原紙を穿孔する製版が行われると、孔版原紙に於ける製版は、カード載置部１２上に原画を正確に位置決めした状態にて行われる。また、こうして製版された孔版原紙を用いて印刷を行なう際、印刷用カードが原画カードと同じ要領で位置決めされれば、印刷用カード上には原画カード上に於ける画像の位置関係と同じ位置関係を保った画像が形成される。これはカラー重ね合わせ印刷に於いては特に重要である。
【００１９】
図６はカード１４上の画像がイメージセンサにて読取られる場合の状態示す同様の図である。イメージセンサ装置が５２により解図的に示されている。このように画像の読み取りがイメージセンサにより行われる場合にも、画像を担持したカード１４は、当初は図３および４に示されたのと同様の要領にてカード載置部１２上に位置決め載置され、その後イメージセンサが図６に示す如くカード載置部１２上に上方から押し当てられることにより、板ばね部２８および３４は容易に弾性変形してそれらの直交二縁２２，２４および一縁３２はイメージセンサを傷つけないよう後退する。
【００２０】
図７は第一および第二の板ばね部２８および３４がカード載置部１２とは異なる材料よりなっている場合の構造例を図２と同様の要領にて示す図である。図７においても図２に示した部分に対応する部分は図２に於けると同じ符号により示されている。この場合には、第一および第二の板ばね部２８および３４をカード載置部１２とは異なる材料より作ることができるので、第一および第二の板ばね部２８および３４をカード載置部１２に対する材料より弾性に富んだ材料とすることができ、第一および第二の板ばね部２８および３４をカード載置部１２の上面からより大きく突き出させても、押圧により軽やかに後退するようにすることができる。
【００２１】
以上に於いては本発明をいくつかの実施の形態について詳細に説明したが、これらの実施の形態について本発明の範囲内にて種々の変更が可能であることは当業者にとって明らかであろう。
【図面の簡単な説明】
【図１】本発明によるカード位置決め載置台の一つの実施の形態を幾分解図的に示す平面図。
【図２】図１に於ける切断線２−２による矢印方向の断面を拡大して示す幾分解図的断面図。
【図３】図１に示すカード位置決め載置台上にカードが位置決め載置された状態を示す幾分解図的平面図。
【図４】図３に於ける切断線４−４による矢印方向の断面を拡大し示す幾分解図的断面図。
【図５】カード載置部上に位置決め載置された原画カードの上から孔版原紙が光を通す押圧板に装着された状態にて載置された状態を示す図４と同様の幾分解図的断面図。
【図６】カード上の画像がイメージセンサにて読取られる場合の状態示す同様の幾分解図的断面図。
【図７】第一および第二の板ばね部がカード載置部とは異なる材料よりなっている場合の構造例を示す図２と同様の幾分解図的断面図。
【符号の説明】
１０…カード位置決め載置台、１２…カード載置部、１４…カード、１６…カードの角部、１８、２０…カードの二辺、２２，２４…直交二縁、２６…切欠き、２８…第一の板ばね部、３０…カードの一辺、３２…一縁、３４…第二の板ばね部、３６…窪み、３８…切り溝、４０…境界部、４２…切り溝、４４…境界部、４６…孔版原紙、４８…押圧板、５０…枠体、５２…イメージセンサ
【図１】
2005022307.tif 000003
【図２】
2005022307.tif 000004
【図３】
2005022307.tif 000005
【図４】
2005022307.tif 000006
【図５】
2005022307.tif 000007
【図６】
2005022307.tif 000008
【図７】
2005022307.tif 000009